(57)【特許請求の範囲】
【請求項１】
垂直に立てた状態で懸架された配線基板用パネルを該配線基板用パネルの主面に平行な方向に水平に移動させながら浸漬するための長尺のめっき槽と、該めっき槽の長手方向に沿って前記めっき槽内に、前記配線基板用パネルの移動位置を挟んで互いに対向するペアを形成するように２列の並びで配設されており、前記長手方向に沿って隣接するもの同士が所定の間隔をあけて並べられた、前記配線基板用パネルの幅よりも広い幅の複数の陽極板と、前記めっき槽の長手方向に沿って前記めっき槽の外部に前記陽極板に対応する長さおよび隣接間隔で敷設された帯状の複数の給電用陰極と、前記陽極板と該陽極板に対応する前記給電用陰極との間に電解めっき用の電流を個別に供給するための複数の整流器と、前記配線基板用パネルに電気的に接続されており、該配線基板用パネルの移動に同期して前記給電用陰極上を摺動することにより前記配線基板用パネルを前記給電用陰極に電気的に接続する集電子と、を備えためっき装置であって、前記給電用陰極は、一つの前記陽極板のペアに対して複数列が並設されているとともに、前記集電子は、前記配線基板用パネルの前端側に位置する第１の集電子と前記配線基板用パネルの後端側に位置する第２の集電子とを有し、前記配線基板用パネルの前端が前記陽極板のペア間に進入するのと同時に該ペアに対応する前記給電用陰極上に前記第１の集電子が乗り上げ、前記配線基板用パネルの後端が前記陽極板のペアの間から脱出するのと同時に該ペアに対応する前記給電用陰極上から前記第２の集電子が離脱する位置関係で配置されており、かつ先行する前記配線基板用パネルと後続の前記配線基板用パネルとで互いに異なる列の前記給電用陰極上を摺動するように配置されていることを特徴とするめっき装置。
【発明の詳細な説明】
【技術分野】
【０００１】
本発明は、配線基板用パネルに電解めっきを施すためのめっき装置に関するものである。
【背景技術】
【０００２】
例えば、電子機器に使用される配線基板を製造する場合、大型の配線基板用パネルの中に配線基板となる領域を縦横の配列で多数設けておき、各領域に同時に加工を施すことにより多数の配線基板を同時集約的に製造するようにしている。
【０００３】
このような配線基板の製造において、配線基板用パネルに電解めっきを施す場合、長尺のめっき槽内に、垂直に立てた状態で懸架した状態の配線基板用パネルをめっき槽の一端側から他端側にめっき液に浸漬したままで移動させながら連続的に電解めっきを施す方法が採られることがある。
【０００４】
このような電解めっきの方法に使用されるめっき装置の従来例は、例えば特開２００４−１７６１４５号広報に示されている。この特開２００４−１７６１４５号広報に示されためっき装置によれば、プリント基板のようなワークが複数並べられてめっき槽の中を移送される。めつき槽内にはワークの移送方向に複数のアノードが配列されている。各アノードは、例えばワークの３個分の長さを有し、各アノードの横を例えば前後に３個ずつのダミーワークを従えた４個並んだ製品ワークが移送される。各アノードは、めっき電流を供給するためのめっき用電源にそれぞれ個別に接続されており、４個並んだ製品ワークの前端がアノードにさしかかった時点で定電圧から定電流に切り替えてアノードとワーク間にめっき用電流を流し、４個並んだ製品ワークの後端がアノードから抜けた時点で定電流から定電圧に切り替えるようになっている。
【０００５】
しかしながら、この従来のめっき装置によれば、製品ワークは例えば４個が並んだ状態で各アノードの横を移送され、この４個並んだ製品ワークをひとつのグループとして各アノードへの電流供給が制御されている。そのため、個々の製品ワークに対しては、個別の電流供給制御が行なわれずに、例えば製品ワークとして表面に電解めっきで充填されるビアを有する配線基板用パネルをめっきした場合、全ての配線基板用パネルに対して均一かつ良好にビアを充填するめっきを施すことが困難であった。
【先行技術文献】
【特許文献】
【０００６】
【特許文献１】特開２００４−１７６１４５号公報
【発明の概要】
【発明が解決しようとする課題】
【０００７】
本発明は、表面に電解めっきで充填されるビアを有する配線基板用パネルをめっきした場合であっても、全ての配線基板用パネルに対して均一かつ良好にビアを充填するめっきを施すことが可能なめっき装置を提供することにある。
【課題を解決するための手段】
【０００８】
本発明のめっき装置は、垂直に立てた状態で懸架された配線基板用パネルを該配線基板用パネルの主面に平行な方向に水平に移動させながら浸漬するための長尺のめっき槽と、該めっき槽の長手方向に沿って前記めっき槽内に、前記配線基板用パネルの移動位置を挟んで互いに対向するペアを形成するように２列の並びで配設されており、前記長手方向に沿って隣接するもの同士が所定の間隔をあけて並べられた、前記配線基板用パネルの幅よりも広い幅の複数の陽極板と、前記めっき槽の長手方向に沿って前記めっき槽の外部に前記陽極板に対応する長さおよび隣接間隔で敷設された帯状の複数の給電用陰極と、前記陽極板と該陽極板に対応する前記給電用陰極との間に電解めっき用の電流を個別に供給するための複数の整流器と、前記配線基板用パネルに電気的に接続されており、該配線基板用パネルの移動に同期して前記給電用陰極上を摺動することにより前記配線基板用パネルを前記給電用陰極に電気的に接続する集電子と、を備えためっき装置であって、前記給電用陰極は、一つの前記陽極板のペアに対して複数列が並設されているとともに、前記集電子は、前記配線基板用パネルの前端側に位置する第１の集電子と前記配線基板用パネルの後端側に位置する第２の集電子とを有し、前記配線基板用パネルの前端が前記陽極板のペア間に進入するのと同時に該ペアに対応する前記給電用陰極上に前記第１の集電子が乗り上げ、前記配線基板用パネルの後端が前記陽極板のペアの間から脱出するのと同時に該ペアに対応する前記給電用陰極上から前記第２の集電子が離脱する位置関係で配置されており、かつ先行する前記配線基板用パネルと後続の前記配線基板用パネルとで互いに異なる列の前記給電用陰極上を摺動するように配置されていることを特徴とするものである。
【発明の効果】
【０００９】
本発明のめっき装置によれば、配線基板用パネルに電解めっき用の電流を供給するための給電用陰極上を摺動する集電子として、配線基板用パネルの前端側に位置する第１の集電子と前記配線基板用パネルの後端側に位置する第２の集電子とを具備し、配線基板用パネルの前端が前記陽極板のペア間に進入するのと同時に該ペアに対応する給電用陰極上に第１の集電子が乗り上げ、配線基板用パネルの後端が陽極板のペアの間から脱出するのと同時にそのペアに対応する給電用陰極上から前記第２の集電子が離脱する位置関係で配置されていることから、個々の配線基板用パネルに対して個別の電流供給を安定して行なうことが可能となり、その結果、表面に電解めっきで充填されるビアを有する配線基板用パネルをめっきする場合であっても、全ての配線基板用パネルに対して均一かつ良好にビアを充填するめっきを施すことが可能となる。
また、給電用陰極は、一つの陽極板のペアに対して複数列が並設されているとともに、集電子は、先行する配線基板用パネルと後続の配線基板用パネルとで、互いに異なる列の給電用陰極上を摺動するように配置されている。
このような構成とすることにより、先行する配線基板用パネルと後続の配線基板用パネルとの間に陽極板の一つ分を超える間隔を設けなくても、それぞれの配線基板用パネルに電解めっき用の電流を独立して供給することができる。
それにより、先行する配線基板用パネルと後続の配線基板用パネルとの間に陽極板の一つ分を超える間隔をあけずに極めて効率的にめっきを行うことが可能になる。
【図面の簡単な説明】
【００１０】
【図１】図１は、本発明のめっき装置の実施形態の一例を示す部分的な模式上面図である。
【図２】図２は、図１に示すめっき装置により配線基板用パネルにめっきをかける方法を説明するための部分的な模式上面図である。
【図３】図３は、本発明のめっき装置の実施形態の他の例を示す部分的な模式上面図である。
【発明を実施するための形態】
【００１１】
次に、本発明のめっき装置における実施形態の一例を図１を基に説明する。図１に示すように、本例のめっき装置１０は、めっき槽１と、陽極板２と、給電用陰極３と、整流器４と、集電子５とを備えている。
【００１２】
めっき槽１は、例えば塩化ビニル樹脂から成る長さが１０〜５０ｍ、幅が２０〜５０
ｃｍ、深さが７０〜１２０ｃｍ程度の長尺の略直方体であり、その内部には例えば電解銅めっき液等のめっき液が保持されている。そして、図示しない搬送キャリアにより垂直に立てた状態で懸架された配線基板用パネルPがめっき液に浸漬された状態でめっき槽１の一端側から他端側に向けて配線基板用パネルＰの主面に平行な方向に水平に移動される。なお、配線基板用パネルＰの大きさは、例えば幅が３０〜８０ｃｍ、高さが３０〜８０ｃｍ、厚みが０．１〜３ｍｍ程度である。
【００１３】
めっき槽１の内部には、配線基板用パネルＰの移動位置を挟んで互いに対向するペアを形成するようにして複数の陽極板２がめっき槽１の長手方向に沿って２列の並びで配設されている。陽極板２は、その幅および高さが配線基板用パネルＰよりも大きく、例えば幅が０．５〜３ｍ、高さが４０〜１００ｃｍ、厚みが０．２〜０．５ｃｍの平板であり、チタン板に酸化イリジウム等をコーティングしたものを隔膜でめっき液と隔離して成る。
【００１４】
めっき槽１の外部には、帯状の給電用陰極３がめっき槽１の長手方向に沿って隣接するようにして敷設されている。給電用陰極３は、例えば銅から成る幅が５〜２０ｍｍ、長さが０．５〜３ｍ、厚みが０．５〜１ｃｍの平板であり、陽極板２に対応する長さおよび隣接間隔で複数個が配設されている。隣接する給電用陰極３同士の間隔は、１〜１０ｃｍ程度である。
【００１５】
各陽極板２とそれに対応する給電用陰極３との間には、これらの間に電解めっき用の電流を個別に供給するための複数の整流器４が接続されている。この整流器４は、後述する集電子５が給電用陰極３上に接触することにより配線基板用パネルＰと陽極板２との間に電解めっき用の電流を流す。
【００１６】
給電用陰極３の上面には、配線基板用パネルＰに電気的に接続された集電子５が摺動される。集電子５は、配線基板用パネルＰの前端側に対応する第１の集電子５ａと後端側に対応する第２の集電子５ｂとを備えている。これらの集電子５ａ，５ｂは、配線基板用パネルＰの移動に同期して給電用陰極３の上面を摺動するようになっている。そして、これらの集電子５ａまたは５ｂが接している給電用陰極３と対応する陽極板２と、この集電子５ａおよび５ｂが電気的に接続された配線基板用パネルＰとの間に整流器４により電解めっき用の電流が供給される。
【００１７】
ところで、本発明のめっき装置１０においては、配線基板用パネルＰの前端が陽極板２のペア間に進入するのと同時にそのペアに対応する給電用陰極３上に第１の集電子５ａが乗り上げ、配線基板用パネルＰの後端が陽極板２のペアの間から脱出するのと同時にそのペアに対応する給電用陰極３上から第２の集電子５ｂが離脱する位置関係で配置されている。このような配置にすることにより、配線基板用パネルＰが陽極板２の或るペアの間に位置する間、その陽極板２のペアとの間に常に電解めっきのための電流が流れることになる。したがって、個々の配線基板用パネルＰに対して個別の電流供給を安定して行なうことが可能となり、その結果、表面に電解めっきで充填されるビアを有する配線基板用パネルＰをめっきした場合であっても、全ての配線基板用パネルＰに対して均一かつ良好にビアを充填するめっきを施すことが可能となる。
【００１８】
なお、本例のめっき装置１０により、配線基板用パネルＰに電解めっきを行なう場合、図２に示すように、先行する配線基板用パネルＰと後続の配線基板用パネルＰとの間に、陽極板２の一つ分を超える間隔を設けて電解めっきするようにすると、各配線基板用パネルＰに整流器４から電解めっき用の電流を独立して供給することができる。
【００１９】
また、図３に示すめっき装置２０のように、一つの陽極板２のペアに対して複数の給電用陰極３を設けるとともにそれらの陽極板２と給電用陰極３との間に個別に整流器４を設け、先行する配線基板用パネルＰと後続の配線基板用パネルＰとで異なる給電用電極３に接続することによって、先行する配線基板用パネルＰと後続の配線基板用パネルＰとの間に陽極板２の一つ分を超える間隔を設けずに電解めっきするようにしても、各配線基板用パネルＰに整流器４から電解めっき用の電流を独立して供給することができる。
【符号の説明】
【００２０】
１    めっき槽
２    陽極板
３    給電用陰極
４    整流器
５    集電子
５ａ    第１の集電子
５ｂ    第２の集電子
Ｐ    配線基板用パネル
【図１】
0005766091.tif 000002
【図２】
0005766091.tif 000003
【図３】
0005766091.tif 000004